(57)【特許請求の範囲】
【請求項１】
刃体と柄部と指環を有す鋏体の１対を開閉可能に結合した鋏であって、
前記指環の円周部分に平面視方向に貫通する穴部を形成し、この穴部の外周側で且つ前記指環の最外周となる部位のみに、指掛け、または、ヒットポイントを取り付ける為のネジ孔を貫通させると共に、
前記指掛け、または、ヒットポイントを、前記ネジ孔のみに螺合させて取り付けしたことを特徴とする穴部を有する鋏。
【請求項２】
請求項１記載の鋏であって、
柄部の所望箇所に平面視方向に貫通する他の穴部を形成したことを特徴とする穴部を有する鋏。
【請求項３】
他の穴部が柄部に沿った長手に形成されることにより、前記柄部が２本の枝分かれ状に形成されることを特徴とする請求項２記載の穴部を有する鋏。
【請求項４】
請求項１〜３いずれか記載の穴部を有する鋏であって、穴部を、柄部の材料より軽量な部材で閉じたことを特徴とする穴部を有する鋏。
【請求項５】
請求項２又は３記載の穴部を有する鋏であって、他の穴部を、柄部の材料より軽量な部材で閉じたことを特徴とする穴部を有する鋏。
【発明の詳細な説明】
【０００１】
【発明の属する技術分野】
この発明は、理美容鋏の改良に関し、鋏の柄部の軽量を図ることにより鋏全体の軽量化を図ると共に柄部の撓り強度を高め、また指掛けやヒットポイントなどの付属部材を指環に取り付けする為には指環にネジ孔などを設けるが、このネジ孔などによる指環の指触りに支障のない指環を備えた鋏に関する。
【０００２】
【従来の技術と発明が解決しようとする課題】
理美容用の鋏の大半はステンレス鋼を材料としているが、鋏の軽量化の方法としてはステンレス鋼をより軽量な材料に代替することが試みられており、チタン合金やセラミック材料を用いたものがある。
或いは鋏の全体をプラスチックで形成し、刃先部分だけをステンレス鋼にしたものもある。
【０００３】
ただチタン合金は加工が困難であったり、セラミック材料はもろさがあったり、或いは鋏の全体がプラスチックであると安っぽくなるなどして何れもあまり普及しておらず、従来のステンレス鋼による鋏が今も多く使われている。
【０００４】
また軽量化の別の方法として鋏を細身にする方法があり、図１３に示すような鋏１００を成す一対の鋏体１１０は、その刃体１０１、柄部１０２、指環１０３などの細身化が試みられている。ただ刃体１０１は鋏を閉じる際にこの刃体１０１，１０１同士が適切な触圧を伴って閉じられる必要があるためあまり細身にすることができない。また柄部１０２を細身にすると、髪を切る時に（特に毛束を切る時に）僅かながら柄部１０２に撓みが生じ、鋏を扱う際の感触の悪さや感覚の狂いなどの原因となって作業に支障がある。
また指環１０３は細身のリングにすると指に対する感触が悪く、またリング状であるよりも指を通す筒の様な形状の方が感触がよいとされており、しかもリング形状よりは筒の形状の方が僅かではあるが重量が増えるので、軽量化のための肉落としの対象に指環は不向きである。
【０００５】
また指環１０３は指を通すところであるので、指の感触・感覚として次のような問題もある。
即ち、指環１０３には指掛け１３０を設けられ操作し易くしてあるが、この指掛け１３０は指環１０３と一体に設けられたものと、図１３に示したように別体に設けられて取り付けられていものとがある。
別体の指掛け１３０は図１４に示すようにその基端１３１にネジが切られ、指環１０３側に設けられたネジ孔１０３ａにネジ付けされている。ただこのネジ孔１０３ａが貫通孔であるため指環１０３の内側に孔が空いた状態となり、この孔の凹みが指環１０３に通した指に四六時中触れ、感触を悪くしている。鋏は小刻みな開閉をしながら髪を切るのであるが、その間中、この様な感触の悪さが続いている。
従ってネジ孔１０３ａを有底孔にすれば指環内側の凹みが無くなりこの様な問題もなくなるのではあるが、貫通孔でないとネジ孔が浅くなってしまい充分なネジ切りが設けられない事と、製造時の際にねじ切り作業で出る切り屑の逃げ道が無くなってしまう事から実現できていない。
【０００６】
また指環１０３にはヒットポイント１２０の取り付けられているものが多い。これは鋏を閉じる時の指環同士の当たる箇所に取り付けられたゴム製、合成樹脂製などの緩衝部材であり、閉じるカチカチとした音がうるさいので、ヒットポイント１２０を一方の指環１０３のこの当たる箇所に取り付けたものである。これにより音が静かになるほか、閉じたときに衝撃を和らげ、指の感触をよくしている。ただこのヒットポイント１２０もその基端側のゴムなどにネジが埋め込まれ、指環に設けられたネジ孔にネジ付けられており、しかもこのネジ孔も指掛けの場合と同様の理由で貫通孔になっている。或いは指環に嵌入孔を設け、ゴム製のヒットポイントの基端に一体成形した嵌入部を嵌入するものもある。この様な場合には嵌入部が裏に突き出る場合もある。何れにしても指環内側の孔やここに突き出た嵌入部などが指に当たり、これも感触の悪さを招いている。
【０００７】
以上の課題を解決するため本願発明の目的とするところは、鋏体の柄部を軽量化し、しかも鋏の閉じ操作に対する柄部の撓み強度を高めた鋏を提供することであり、また指環に指掛けやヒットポイントなどの付属部材が取り付けられても、付属部材用のネジ穴などによる指の感触の悪さのない鋏を提供することである。
【０００８】
【課題を解決するための手段と発明の効果】
以上の様に本願発明は、鋏体の１対を開閉可能に結合した鋏であって、鋏体が刃体と柄部と指環を有す鋏を対象としたものである。
即ち、請求項１は指環に設けられる「指掛け」や「ヒットポイント」などの付属部材に関するものである。つまり指環の円周部分を平面視幅広に形成することにより、この幅広な面に穴部を形成し、この穴部の外周側に付属部材を取り付けしたのである。その際、指環に設けられた付属部材の取り付けのための孔（ネジ孔、嵌入孔など）が従来と同様に貫通孔であっても、この貫通孔は穴部の外周側を貫通するため、指が触れる指環の内周には届かず、影響が無い。
【０００９】
請求項２記載の発明では柄部に他の穴部を設けて軽量化を図った。他の穴部を形成する際には、柄部の所望箇所に平面視方向に貫通する他の穴部の形成を容易にした。従って穴部は平面視方向に貫通する向きとなる。なおここで平面視とは、鋏を図１に示した向きに見ることをいい、この向きで見た際の柄部の幅を広く形成し、これにより他の穴部を形成する場所を確保したのである。
【００１０】
また請求項３記載の発明では、他の穴部が柄部に沿った長手に形成されることにより、柄部が２本の枝分かれ状に形成されるようにした。この際、穴部が平面視方向に貫通されているので、２つのリブ部により鋏を閉じる際の柄部の撓みに対する強度を得ることができる。例えば、２つのリブ部の総断面積が従来の柄部の断面積より小さくても、従来の柄部と同等或いはそれ以上の撓み強度を得ることができる。
【００１１】
請求項４と請求項５は、上記の請求項１〜３に（１）他の穴部があればこれを柄部より軽い部材で閉じたものであり、また（２）穴部があればこれを、更に（３）穴部や他の穴部を有するのであればこれらの一部か全部かを、柄部より軽い部材で閉じたものである。
これにより、穴部や他の穴部に毛の入るのを防ぐことができ、また鋏体と異なる色彩の材料を用いるなどすれば、デザイン的にも優れる。
【００１２】
【発明の実施の形態】
次に本願発明の実施例を説明する。
図１に示す鋏は、理美容用のカット鋏１Ａであり、ステンレス鋼の材料による鋏体１０の１対を軸部１１で開閉可能に結合形成されており、これら鋏体１０，１０は刃体１と柄部２と指環３を有している。
柄部２は、その基端側Ｘ（柄部２の軸部１１よりをいう）が図１３に示したような一般的な棒状の柄部の幅を成し、末端側Ｙ（柄部２の指環３よりをいう）にかけて次第に平面視幅広となる様に形成されており、従って柄部２の全体形状は基端側Ｘを頂点とし、末端側Ｙを底辺とする細身三角形に類似する形状を成している。また、この幅広な面には略三角形の他の穴部４が柄部２に沿った長手に形成され、この他の穴部４が柄部２を枝分かれ状にして２つの枝部５，５を形成している。
動刃側鋏体１０ａの指環３には、鋏１を閉じた際の指環３，３同士の当接位置にゴム製のヒットポイント２０が取り付けてある。
【００１３】
この柄部２は枝部５，５が細身に形成されており、図１３に示したような一般的な棒状の柄部よりも軽量な柄部に形成されている。しかし枝部５が細身であっても、この２本の枝部５，５と指環３の一部とで三角形を成しているので柄部２には高い撓み強度が得られる。これは柄部２が一種のラーメン構造を成すからであり、枝部５，５はラーメン構造における組子を成しているのである。なお柄部２の基端側Ｘは一般的な柄部と同様に棒状を成しているが、全体が棒状である一般的な柄部に場合に比べると撓みの少ないものとなる。
【００１４】
図２に示す鋏１Ｂは、他の穴部４が図１に示した他の穴部より更に細長く形成され、柄部２の大半が２本の並んだ枝部５，５で構成され、軽量化と撓み強度が得られている。
【００１５】
図３に示す鋏１Ｃは、動刃側鋏体１０ａの指環３のヒットポイント２０の取り付け位置となる円周部分２１を平面視幅広に形成してあり、この幅広な面（２１）に細長い穴部６を形成してある。この穴部６の外周側にはヒットポイント２０を螺合するためのネジ孔２２が貫通させてあり、このネジ孔２２にヒットポイント２０がネジ付けして取り付けられている。
柄部２は図１に示したと同様に略三角形の他の穴部４が設けられている。また静刃側鋏体１０ｂの指環３には飾り用穴部７が設けられており、他の穴部４及び穴部６と共にデザイン性を高めている。
【００１６】
図４に示した鋏１Ｄは、静刃側鋏体１０ｂの柄部２に他の穴部４が設けられ、指環３と一体に形成された指掛けＰの基端部分に飾り用穴部７が設けられている。動刃側鋏体１０ａは他の穴部４と穴部６が設けられている。また動刃側鋏体１０ａの指環３はヒットポイント２０の取り付け位置となる円周部分が略台形状に膨出させた平面視幅広な形状に形成され、穴部６はその幅広な面に略台形を成して設けられており、この穴部６の外周側には貫通させたネジ孔２２にヒットポイント２０がネジ付けして取り付けられている。
【００１７】
図５に示した鋏１Ｅは、全体の構成が図４の鋏１Ｄとほぼ同じであるが静刃側鋏体１０ｂの他の穴部４ｂの形状だけが異なる。即ち、他の穴部４ｂにより形成された２つの枝部５'，５"のうちの、外側（指をのせる側）の枝部５'が凹曲させて形成させてある。
つまり鋏を握るときには、親指を動刃側指環３ａに通し、残りの指は静刃側（３ｂ）にかかるのであるが、その際、中指を指環３ｂに通し、薬指を指掛けＰに掛け、人差し指は柄部２ａに掛ける握り方が代表的な握り方である。図５に示されている枝部５'の凹曲部分
Ｑはこの様な握り方をふまえたものであり、握る際の人差し指が枝部５'の凹曲部分Ｑに
のせることにより、握り易さが向上するのである。
【００１８】
図６に示した鋏１Ｆは図５の鋏１Ｅを僅かに変形させたものである。つまり図５における他の穴部４ｂの凹曲した括れ部分を繋ぎ、他の穴部４ｂを２つに分けることにより、図６に示したように新たな２つの他の穴部４，４を形成させた鋏である。この様に他の穴部は１つの柄部２に複数設けられてもよい。
【００１９】
図７に示した鋏１Ｇは、静刃側鋏体１０ｂが図４に示したと同様に他の穴部４と装飾用穴部７が設けられている。動刃側鋏体１０ａは指環３のヒットポイント２０の取り付け部分から柄部の末端側にかけて比較的大きな穴部が形成されており、ヒットポイント２０の取付箇所付近の穴部が穴部６を成し、柄部末端付近の穴部が他の穴部４を成しているのであり、このように他の穴部４と穴部６が連通したものであってもかまわない。
【００２０】
図８に示した鋏１Ｈは、他の穴部４と穴部６とを有した鋏である。穴部６は静刃側１０ｂの指環にデザインを施した細い三角形状で形成され、穴部６の外周に指掛け３０が螺合して取り付けてある。
図９に示した鋏１Ｊは、２つの指環３，３にそれぞれデザイン化された穴部６ａ，６ｂが細長く設けられており、静刃側１０ｂの穴部６ｂ外周には指掛け３０が螺合され、動刃側１０ａの穴部６ａにはヒットポイント２０が螺合されている。
図１０に示した鋏１Ｋは、２つの穴部６ａ，６ｂと飾り用穴部７，７とを形成させたものである。
【００２１】
図１１に示した鋏１Ｌは、図５に示した他の穴部４ｂ，４と穴部６、及び飾り用穴部７を有する鋏に対し、これらの穴部４ｂ，４，６，７を柄部２の材料より軽量な部材８，８，…で閉じたものである。この部材８は図１２に示すように、カラーのプラスチック板をそれぞれの穴部４ｂ，４，６，７に被せたものであり、各穴部の表裏の開口部分にはプラスチック板を収納するための段差部９が設けられ、プラスチック板が柄部２や指環３の表面と面一になるようにしてある。
なお閉じるのは全ての穴部でも、多数ある穴部の一部でもよい。また各穴部の開口部を閉じても、或いは表裏の開口部から内方に入った位置で閉じてもよく、又板状の部材に限らず栓のように穴部に詰め込むようなものであってもよい。つまり穴部の内周面形状に形成した合成樹脂などの弾性体を詰め込んで穴部を閉じたものであってもよい。
【００２２】
なお本願発明は上記の実施例に限るものではない。
他の穴部及び穴部はどの様な形状であってもよく、三角に限らず四角形、円形、長円形、ダイヤ形その他どの様であってもよい。
他の穴部は一対の鋏体の両方に設けてもよく、片方だけに設けてもよく、両方に設ける場合は両方の穴部の形状を揃えても違えてもよい。小さな他の穴部を多数設けたものであってもよい。
【図面の簡単な説明】
【図１】  図１は、柄部に他の穴部を形成した鋏の（ａ）平面図と（ｂ）側面図である。
【図２】  図２も、柄部に他の穴部を形成した鋏の図である。
【図３】  図３は、柄部に他の穴部４を形成し、動刃側の指環にヒットポイントに対応させた穴部６を形成した鋏の図であり、これら第一と穴部とに類似した形態の飾り用穴部７も形成してデザイン性を高めてある。
【図４】  図４も、柄部に他の穴部４を形成し、動刃側の指環に穴部６を形成した鋏の図であり、飾り用穴部７が指掛けＰの基端に形成してある。
【図５】  図５は、柄部に他の穴部を形成し、ヒットポイントに対応させた穴部を形成した鋏の図であり、他の穴部の形状を人差し指がのせ易い形状（Ｑ）にしてある。
【図６】  図６は、１つの柄部に２つの他の穴部を形成させた鋏の図である。
【図７】  図７は、他の穴部４と穴部６が連通した鋏の図である。
【図８】  図８は、他の穴部４と指掛け３０を対象とした穴部６を形成した鋏の図である。
【図９】  図９は、指掛け３０を対象とした穴部６と、ヒットポイント２０を対象とした穴部６とを形成した鋏の図である。
【図１０】  図１０も、指掛け３０とヒットポイント２０とを対象とした２つの穴部６，６を形成した鋏の図である。
【図１１】  図１１は、第一及び穴部を飾り用穴部と共に閉じた鋏の図であり、それぞれの穴部の開口部分にプラスチック板を被せて閉じたものである。
【図１２】  図１２は、図１１におけるＺ−Ｚ断面の説明図である。
【図１３】  図１３は、従来の理美容鋏の図である。
【図１４】  図１４は、理美容鋏におけるヒットポイントと指環の取り付け方を説明する図である。
【図１】
0003876371.tif 000002
【図２】
0003876371.tif 000003
【図３】
0003876371.tif 000004
【図４】
0003876371.tif 000005
【図５】
0003876371.tif 000006
【図６】
0003876371.tif 000007
【図７】
0003876371.tif 000008
【図８】
0003876371.tif 000009
【図９】
0003876371.tif 000010
【図１０】
0003876371.tif 000011
【図１１】
0003876371.tif 000012
【図１２】
0003876371.tif 000013
【図１３】
0003876371.tif 000014
【図１４】
0003876371.tif 000015